(57)【要約】本発明は、回転運動させられることを意図された情報担体（１０１）であって、画像データを表示するように設計された表示手段（１０２）であって空間的位置によって空間的に位置を特定される表示手段（１０２）と、表示手段（１０２）と同じ空間的位置を持つ画像データを表示手段（１０２）に周期的に送信する処理手段（１０３）とを有する情報担体（１０１）に関する。用途は、光ディスク／光ディスクプレーヤーである。
2006509316.tif 000002
【特許請求の範囲】
【請求項１】
回転運動させられることを意図された情報担体であって、
画像データを表示するように設計された表示手段であって、空間的位置によって空間的に位置を特定される表示手段と、
前記表示手段と同じ空間的位置を持つ画像データを前記表示手段に周期的に送信する処理手段と、
を有する情報担体。
【請求項２】
前記画像データを保存するためのメモリ装置を有する、請求項１に記載の情報担体。
【請求項３】
情報担体再生装置から前記画像データを受信するための非接触手段を有する、請求項２に記載の情報担体。
【請求項４】
前記表示手段の角位置を算出するための算出手段を有するか、又は前記角位置が前記情報担体再生装置から前記非接触手段によって受信される、請求項３に記載の情報担体。
【請求項５】
前記表示手段は、前記情報担体の径方向に沿って配置される、請求項１乃至４のいずれか一項に記載の情報担体。
【請求項６】
前記表示手段は、高分子ＬＥＤディスプレイ又は液晶ディスプレイによって形成される、請求項１乃至５のいずれか一項に記載の情報担体。
【請求項７】
請求項１に記載の情報担体に画像データを送信するための非接触手段を有する、情報担体を再生するための再生装置。
【請求項８】
前記表示手段の角位置を算出するための算出手段を有し、前記角位置は前記非接触手段によって前記情報担体に送信される、請求項７に記載の再生装置。
【発明の詳細な説明】
【技術分野】
【０００１】
本発明は、回転運動させられるように意図された情報担体に関する。
【０００２】
本発明はまた、かような情報担体を再生する再生装置に関する。
【０００３】
本発明は、再生装置において、光ディスク上で静止画像を表示する光ディスクの分野において利用され得る。
【背景技術】
【０００４】
光ディスクのような情報担体は、読み取り面と反対側の面に描かれた可視のデータを有する。とりわけ、可視のデータはレコードのレーベル又はテーブル・オブ・コンテンツ（ＴＯＣ）に対応する。これらのデータは、ディスクが回転していないときにしかユーザにとって見ることができない。
【０００５】
特開平１１−２５０６４４は、回転しているときにディスクのレーベルを見ることを可能とする手段を有するディスクプレイヤを開示している。この目的のため、前記プレイヤは、回転毎に１度レーベル面をフラッシュ照明し、それにより残像を連続的にすることによりレーベルが見掛け上静止画像として見える。可視情報を統合する人間の目の特性が利用されている。
【発明の開示】
【発明が解決しようとする課題】
【０００６】
当該先行技術文献に記載されたようなディスクプレイヤは、技術的な限界を持つ。
【０００７】
フラッシュ手段の利用は、プレイヤ中の多くの空間をとり、従ってこの方法は、減少されたサイズのディスクプレイヤのような消費者向け製品においては利用されることができない。
【０００８】
更に、フラッシュ手段は電力を消費するものである。
【０００９】
最後に、フラッシュ手段を利用することは、ディスクに予め印刷された画像しか表示しない。
【００１０】
本発明の目的は、回転しているときに見掛け上の静止画像の表示を提供する情報担体を提案することにある。
【課題を解決するための手段】
【００１１】
この目的のため、前記情報担体は、
画像データを表示するように設計された表示手段であって、空間的位置によって空間的に位置を特定される表示手段と、
前記表示手段と同じ空間的位置を持つ画像データを前記表示手段に周期的に送信する処理手段と、
を有する。
【００１２】
前記画像データの周期的な送信は、ディスクプレイヤを目視しているユーザにとって表示される画像が静止して見えるような、連続的な残像を得ることを可能とする。本発明は、可視情報を統合する人間の目の特性に基づくが、先行技術に比べると、見掛け上の静止画像を得るための手段がディスク自体に直接配置される。従って、かような方法はフラッシュ手段を必要とせず、本発明による情報担体を再生することを意図された再生装置のサイズを削減することを可能とする。
【００１３】
好適な実施例においては、前記情報担体は前記画像データを保存するためのメモリ装置を有する。
【００１４】
当該メモリ装置は、例えばディスクのレーベル、ＴＯＣ又は演奏者の画像と言ったような、前記情報担体に関連する画像データを保存する。
【００１５】
好適な実施例においては、前記情報担体は、情報担体再生装置から前記画像データを受信するための非接触手段を有する。
【００１６】
当該特徴は、ディスク上に表示される画像の内容をユーザがパーソナライズ及び変更することを可能とする。例えばＣＤオーディオ情報担体は、前記再生装置によって送信される、音楽に従って変化する色パターン又はその他の画像データ（若しくは画像データのシーケンス）を受信しても良い。
【００１７】
好適な実施例においては、前記情報担体は、前記表示手段の角位置を算出する算出手段、及び／又は情報担体再生装置から前記角位置を受信する非接触手段を有する。
【００１８】
前記表示手段の絶対的な空間位置は、該手段の角位置によって定義される。
【００１９】
前記角位置を算出するための算出手段が前記情報担体に実装された場合、前記再生装置とのデータ交換は限定され、かような装置の複雑さを減少させることが可能である。更にこのことは、本発明による情報担体の既存の再生装置における利用を容易化する。
【００２０】
前記角位置を算出するための算出手段が前記再生装置に実装された場合、本発明による情報担体のコストが低減される。
【００２１】
好適な実施例においては、前記情報担体の前記表示手段は、前記情報担体の径方向に沿って配置される。
【００２２】
前記情報担体が回転運動することを考慮すると、複数の画素が同時に表示されることができるため、前記表示手段の当該配置は有利である。
【００２３】
好適な実施例においては、前記情報担体の前記表示手段は、高分子ＬＥＤディスプレイ又はＬＣＤディスプレイに対応する。
【００２４】
このタイプのディスプレイは、画像データの内容を再生することができる一方で、容易なアドレシング及び／又は前記情報担体の小さな厚さを保証する。これらのディスプレイがＬＣＤディスプレイに対応する場合、電力消費がかなり低減させられる。
【００２５】
本発明はまた、上述したような情報担体に画像データを送信するための非接触手段を有する情報担体再生装置に関する。
【００２６】
好適な実施例においては、前記再生装置は、前記表示手段の角位置を算出するための算出手段と、前記角位置を上述した情報担体に送信するための非接触手段とを有する。
【００２７】
本発明の詳細な説明及び他の態様は以下に示される。
【発明を実施するための最良の形態】
【００２８】
本発明の特定の態様が、以下に記載される実施例を参照しながら説明され、添付する図と共に考慮される。ここで同一の部分又はサブステップは、同一の方法で示される。
【００２９】
図１は、本発明による情報担体１０１の構造を示す。前記情報担体は、回転させられることを意図されたものである。当該情報担体は例えば、ＣＤオーディオ、ＤＶＤ又は他のいずれかの光ディスクに対応する。当該情報は種々の時間間隔で示される。
【００３０】
情報担体１０１は、ディジタル画像データを表示するための表示手段１０２を有する。表示手段１０２は情報担体１０１に相互依存し、レーザビームにより実行される読み取り動作が妨害されないように、情報担体１０１の表面に描かれる。表示手段１０２は、とりわけ前記表示手段の横軸（ｘ）と軸（ｚ）との間の角度φによって定義される空間的位置によって、空間的に位置を特定され識別される。軸（ｘ）及び（ｙ）は基準軸を形成する。本実施例においては、本発明の理解を容易化するために、表示手段１０２は６個のみの基本表示エリアを有するが、より多くの数の基本画素エリアを持つディスプレイが利用されても良い。各基本画素ディスプレイは、半径値ｒｉを用いて位置を特定される。
【００３１】
情報担体１０１は、角速度ωｒａｄ／ｓでの前記情報担体の回転の間、前記表示手段と同じ空間位置を持つ画像データを、前記表示手段に周期的に送信するための処理手段を有する。かような処理手段は好ましくは、通常の読み取り／書き込み動作が妨害されない位置に配置された集積回路１０３に実装される。力学的な不均衡を回避するため、前記集積回路は有利にも、前記情報担体の中央穴の近くに配置される。ディスクのミラーが取り除かれることができる、クランピングエリアと情報エリアとの間に配置された場合には、このチップの位置は光学的に検出されることができる。
【００３２】
図３に示すような円形の画像３０１が表示手段１０２に表示されるべきである場合を考える。当該画像３０１は、有利にも極座標を持つ画像面に配置された、複数の画像データ（即ち画素）から成る。
【００３３】
ΔＴ（ΔＴ＝ΔΦ／ω）に等しい時間に渡って、前記表示手段の空間的位置φと同じ空間的位置（即ち前記画像平面における同一の角度及び同一の半径ｒｉ）を持つ画像ＩＭＡの画像データが表示される。例えば、時間Ｔ０において、画素（Ｐ１、Ｐ２、Ｐ３、Ｐ４、Ｐ５、Ｐ６）が表示手段１０２に表示され、時間（Ｔ０＋ΔＴ）において、画素（Ｐ７、Ｐ８、Ｐ９、Ｐ１０、Ｐ１１、Ｐ１２）が表示され、時間（Ｔ０＋２ΔＴ）において、画素（Ｐ１３、Ｐ１４、Ｐ１５、Ｐ１６、Ｐ１７、Ｐ１８）が表示される等する。この非常に短い時間間隔ΔＴに渡って実行される画像データの表示の連続は、連続的な残像を形成する。
【００３４】
表示手段１０２は、薄く、柔軟で且つ軽量であるという特性を持つＬＥＤディスプレイ（発光ダイオード）に対応する。かようなディスプレイは、図１に示されるように、径方向（ｚ）に沿って前記情報担体上に配置された直交したパターンに配置される。
【００３５】
ディスプレイ１０２は、薄く、柔軟で且つ軽量であるという特性を持つＬＥＤディスプレイ（発光ダイオード）に対応する。とりわけ前記ディスプレイは有利にもPolyLEDディスプレイとして知られる高分子ＬＥＤディスプレイである。薄く軽量である反射型液晶ディスプレイ（ＬＣＤ）が利用されても良いが、外部的に照明される必要がある。
【００３６】
図２は、本発明による情報担体２０１に実装される処理手段、及び情報担体２０１が挿入され再生されることが意図された再生装置２０２に実装される処理手段を示す。
【００３７】
情報担体２０１と再生装置２０２とは、非接触手段２０３及び２０４によって通信する。非接触手段２０３は前記再生装置に実装され、非接触手段２０４は集積回路２０５（図１における１０３）及び／又はその周囲に実装される。かような非接触手段を実装するため、以下のような種々の技術的な手法が利用され得る。
【００３８】
−誘導性手法：前記再生装置に実装されたコイルによって送信され、前記情報担体に実装されたコイルによって受信される、小さいＭＨｚ（好ましくは１３．５６ＭＨｚ）で交番する磁束を利用する。
−容量性手法：交番する高電圧の電束と前記情報担体及び前記再生装置の両方に実装されたアンテナ板を利用する。
−ＲＦ（radio frequency）手法：前記再生装置におけるアンテナを用い、高周波数（数ＧＨｚ）の電磁放射を利用する。前記情報担体に実装されるアンテナは用いても用いなくても良い。
−光結合手法。
【００３９】
集積回路２０５は、ディスプレイ２０７に表示されるべき画像データを保存するためのメモリ装置２０６を有する。前記画像データは、最初に前記情報担体の発行者によって保存されても良いし（この場合にはＲＯＭメモリが有利に利用され得る）、前記再生装置から非接触手段２０３及び２０４によってリアルタイムに受信されても良いし（この場合にはＲＡＭメモリが有利に利用され得る）、又はユーザによって不揮発性メモリ（ＥＥＰＲＯＭ、ＭＲＡＭ）にプログラムされても良い。前記画像データは、極座標か又はデカルト座標（この場合には極座標を得るために処理手段が必要とされる）かのいずれかを利用して保存されても良い。前記画像データは生フォーマット（ビットマップのような）であっても良いし、符号化されたフォーマット（ＪＰＥＧフォーマットのような）であっても良い。後者の場合においては、前記情報担体は、かような符号化された画像データを復号化するための復号化手段（図示されていない）を有する。
【００４０】
前記画像データは例えば、再生される音楽に従って色が変化するパターン、又はその他のユーザによって目視されることが意図される情報（テキスト、画像、グラフィクス、画像のシーケンス、更新されたＴＯＣ、映画等）に対応しても良い。
【００４１】
情報担体２０１の絶対角位置φは、チップ２０５に含まれる算出手段２０８によって決定されても良いし、又は代替として前記再生装置に含まれる算出手段２０９によって決定されても良い。後者の場合においては、角位置φは、前記再生装置から非接触手段２０３及び２０４によって前記情報担体に送信される。絶対角位置φを決定するため、以下のような種々の技術的な手法が利用され得る。
−ディスク読み出しスポット（前記情報担体の読み取り側における光マーカ）によるディスプレイ２０７の位置の光検出。
−前記情報担体のウォブルアドレスから。
−前記再生装置中の更なる検出手段（近接検出器として利用される光又は磁気手段）によるディスプレイ２０７の位置の光検出。
−前記情報担体を回転させるように意図された回転モータのタコメータを利用する。
−例えば集積されたフォトダイオードによる静止光スポットのチップ上検出により、前記ディスプレイ又は集積回路によって得られる回転毎に１パルスの信号（１ＰＰＯ）を利用する。
【００４２】
処理手段２１０は、メモリ２０６に保存された画像データに適用される。処理手段２１０はとりわけ、チップ２０５に組み込まれた信号プロセッサによって実行されるソフトウェアプログラムのコード命令に対応する。処理手段２１０は、前記画像どの画素が前記ディスプレイに送信される必要があるかを識別するために絶対角位置φを受信する。処理手段２１０はまた、どの周波数ｆ（ｆ＝１／ΔＴ）でこれらの画素が識別される必要があるかを示すクロック信号ＣＬＫをも受信する。
【００４３】
所定の時間において、処理手段２１０によって識別された画素は、ディスプレイ２０７の駆動（アドレシング動作、データのバッファリング等）を担当するディスプレイドライバ２１１に送信される。
【００４４】
情報担体２０１に実装された全ての処理手段及び表示手段のための電力ＶＣＣは、非接触手段２０３及び２０４によって、又はディスク上のバッテリによって供給される。
【図面の簡単な説明】
【００４５】
【図１】種々の時間間隔における本発明による情報担体を示す。
【図２】本発明による情報担体に実装される処理手段と、該情報担体が挿入されることを意図された本発明による再生装置に実装された処理手段とを示す。
【図３】本発明による情報担体上に表示される画像を示す。
【図１】
2006509316.tif 000003
【図２】
2006509316.tif 000004
【図３】
2006509316.tif 000005
【国際調査報告】
2006509316.tif 000006
2006509316.tif 000007
2006509316.tif 000008